(57)【要約】  ＡＤ変換器の変換精度を向上できるＡＤ変換器を提供する。  ＡＤ変換器は、第２のクロックを用いて、第１のクロックを生成するクロック生成器と、第１のクロックの第１の期間において、入力信号と所定値とを比較するための比較回路と、第１のクロックの第２の期間において、次回の比較動作のために内部電圧を所定値にプリチャージするためのプリチャージ回路と、を含む比較器と、を備え、クロック生成器は、比較器のプリチャージ回路のレプリカ回路を含み、プリチャージ回路のレプリカ回路において、プリチャージの開始から終了までの期間であるプリチャージ期間を、前記第１のクロックの第２の期間とする。
2014038173.tif 000002
【特許請求の範囲】
【請求項１】
第２のクロックを用いて、第１のクロックを生成するクロック生成器と、
前記第１のクロックの第１の期間において、入力信号と所定値とを比較するための比較回路と、前記第１のクロックの第２の期間において、次回の比較動作のために内部電圧を所定値にプリチャージするためのプリチャージ回路と、を含む比較器と、
を備え、
前記クロック生成器は、
前記比較器のプリチャージ回路のレプリカ回路を含み、
前記プリチャージ回路のレプリカ回路において、プリチャージの開始から終了までの期間であるプリチャージ期間を、前記第１のクロックの第２の期間とする、
ＡＤ変換器。
【請求項２】
請求項１に記載のＡＤ変換器であって、
前記クロック生成器は、
前記プリチャージ回路のレプリカ回路に含まれる内部ブロックにおける遅延時間に基づいて、前記第１のクロックを生成するＡＤ変換器。
【請求項３】
請求項１に記載のＡＤ変換器であって、
前記比較器は、複数段の内部ブロックとラッチ回路とを含み、
前記比較回路は、
前記複数段の内部ブロックのうち、初段の内部ブロックに含まれ、前記入力信号が入力される入力用トランジスタと、
前記複数段の内部ブロックのうち、前記ラッチ回路に接続され、ラッチを構成する第２の内部ブロックと、
を含み、
前記プリチャージ回路は、
前記複数段の内部ブロックのうち、前記初段の内部ブロックに含まれ、前記第１のクロックが入力されるプリチャージ用トランジスタ、を含む。
ＡＤ変換器。
【請求項４】
請求項３に記載のＡＤ変換器であって、
前記クロック生成器は、
複数段の内部ブロックを含み、
前記複数段の内部ブロックのうち、初段の内部ブロックは、前記第２のクロックが入力されるプリチャージ用トランジスタと、所定の電圧が入力される入力用トランジスタと、を含み、
前記複数段の内部ブロックのうち、前記第１のクロックを出力する内部ブロックは、前記比較回路の第２の内部ブロックの配線を変更した内部ブロックである、ＡＤ変換器。
【請求項５】
請求項１ないし４のいずれか１項に記載のＡＤ変換器であって、
前記クロック生成器は、前記第１の期間を調整するための遅延制御回路を備えるＡＤ変換器。
【請求項６】
請求項１ないし５のいずれか１項に記載のＡＤ変換器であって、
前記第１の期間は、前記プリチャージ期間と同じであるＡＤ変換器。
【請求項７】
請求項１ないし５のいずれか１項に記載のＡＤ変換器であって、
前記第１の期間は、前記プリチャージ期間よりも長いＡＤ変換器。
【請求項８】
請求項１ないし７のいずれか１項に記載のＡＤ変換器であって、
前記比較器は、差動比較器であるＡＤ変換器。
【請求項９】
請求項１ないし８のいずれか１項に記載のＡＤ変換器であって、
前記クロック生成器は、前記比較器に含まれるトランジスタと物理的に同一の大きさのトランジスタを含むＡＤ変換器。
【請求項１０】
請求項１ないし８のいずれか１項に記載のＡＤ変換器であって、
前記クロック生成器は、前記比較器に含まれるトランジスタと同一の構成のトランジスタを含むＡＤ変換器。
【請求項１１】
請求項１ないし１０のいずれか１項に記載のＡＤ変換器であって、
前記比較器を複数個備え、
各比較器は、並列に接続され、前記クロック生成器から出力された同一の前記第１のクロックを入力するＡＤ変換器。
【請求項１２】
複数の通信規格に準拠する受信装置であって，
請求項１ないし１１のいずれか１項に記載のＡＤ変換器と、
前記ＡＤ変換器に入力するクロックを、通信規格に応じて生成するクロック生成部と、
前記ＡＤ変換器から出力された変換信号を、前記通信規格に応じて復調する復調部と、
前記復調部による復調処理の方式及び前記クロック生成部が生成するクロックを、前記通信規格に応じて決定するアクセス制御部と、
を備えた受信装置。
【発明の詳細な説明】
【技術分野】
【０００１】
本開示は、ＡＤ変換器及び受信装置に関する。特に、クロックデューティ制御を用いたＡＤ変換器等に関する。
【背景技術】
【０００２】
近年、ＡＤ変換器（Ａｎａｌｏｇ−ｔｏ−Ｄｉｇｉｔａｌ  Ｃｏｎｖｅｒｔｅｒ：ＡＤＣ）の動作速度が向上しており、動作速度が１ＧＨｚ以上であることも珍しくない。しかし、高速になると比較器による比較動作が困難になる。周波数が高くなっても比較器が動作するためには、クロックのデューティを制御し、比較器の動作期間を長くすることが有効であり、ＡＤ変換器の変換精度も維持できる。【０００３】
例えば、クロックがＨｉｇｈ期間に比較動作する比較器を有するＡＤ変換器が知られている（例えば、特許文献１参照）。ＡＤ変換器は、比較器のレプリカ回路と、レプリカ回路が比較動作に必要な時間期間をクロックのＨｉｇｈ期間とし、残りの時間をクロックのＬｏｗ期間とするクロック合成回路と、を備える。
【先行技術文献】
【特許文献】
【０００４】
【特許文献１】日本国特許第４５５４６８８号公報
【発明の概要】
【発明が解決しようとする課題】
【０００５】
特許文献１の技術では、比較器を含むＡＤ変換器の変換精度が不十分であった。【０００６】
本発明は、上記事情に鑑みてなされたものであり、ＡＤ変換器の変換精度を向上できるＡＤ変換器及び受信装置を提供する。
【課題を解決するための手段】
【０００７】
本開示のＡＤ変換器は、第２のクロックを用いて、第１のクロックを生成するクロック生成器と、前記第１のクロックの第１の期間において、入力信号と所定値とを比較するための比較回路と、前記第１のクロックの第２の期間において、次回の比較動作のために内部電圧を所定値にプリチャージするためのプリチャージ回路と、を含む比較器と、を備え、前記クロック生成器は、前記比較器のプリチャージ回路のレプリカ回路を含み、前記プリチャージ回路のレプリカ回路において、プリチャージの開始から終了までの期間であるプリチャージ期間を、前記第１のクロックの第２の期間とする。
【発明の効果】
【０００８】
本開示によれば、ＡＤ変換器の変換精度を向上できる。
【図面の簡単な説明】
【０００９】
【図１】第１の実施形態におけるＡＤ変換器の構成例を示すブロック図
【図２】第１の実施形態におけるコンパレータの回路例を示す図
【図３】（ａ）〜（ｄ）第１の実施形態におけるコンパレータのタイミングチャート
【図４】第１の実施形態におけるクロック生成器の第１回路例を示す図
【図５】第１の実施形態におけるクロック生成器のタイミングチャート
【図６】第１の実施形態におけるクロック生成器の第２回路例
【図７】第１の実施形態におけるクロック生成器の第３回路例
【図８】第１の実施形態におけるプリチャージ期間生成器の第１回路例
【図９】第１の実施形態におけるプリチャージ期間生成器の第２回路例
【図１０】第１の実施形態におけるプリチャージ期間生成器のタイミングチャート
【図１１】第１の実施形態におけるクロック周波数を変更した場合のコンパレータクロックの一例を示す図
【図１２】第２の実施形態におけるＡＤ変換器の構成例を示す図
【図１３】第３の実施形態における受信装置の構成例を示す図
【発明を実施するための形態】
【００１０】
以下、本開示の実施形態について、図面を参照して説明する。
【００１１】
（本開示の一形態を得るに至った経緯）
特許文献１に記載されたＡＤ変換器は、比較器のレプリカ回路が比較する電圧差が大きい場合、比較器が比較に必要な時間をクロックのＨｉｇｈ期間として決定できる。しかし、比較電圧差が小さい場合、比較電圧差に対するノイズ（例えば、トランジスタノイズ又は熱ノイズ）の影響が大きくなる。従って、ノイズの大きさに依存して、比較時間が短くなり、又は長くなる。
【００１２】
比較電圧差が小さい場合、クロック毎のデューティが一定とならず、各デューティにずれが生じる。クロックのＨｉｇｈ期間が短くなると、比較器が比較のために必要な比較電圧差が大きくなり、ＡＤ変換器の精度が悪化する。そのため、レプリカ回路の比較電圧差を設計上の最小の電圧差にしても、十分な比較が困難であるため、ＡＤ変換器の解像度は最小解像度以上になることがあり、ＡＤ変換器の設計通りの精度を満たせなくなる。
【００１３】
また、デューティ５０％のクロックを使用する場合、クロック周波数を低くするとクロックのＨｉｇｈ期間は長くなるが、特許文献１に記載されたＡＤ変換器では、クロックのＨｉｇｈ期間は、比較器の比較時間から決定される。従って、クロック周波数が低くなってもクロックのＨｉｇｈ期間の長さは変化しない。クロックのデューティが５０％と比較すると、クロックの１周期に対するＨｉｇｈ期間の割合は短い。更に、比較器の比較できる最小電圧差も変わらないため、ＡＤ変換器の解像度も向上が困難となる。
【００１４】
以下、ＡＤ変換器の変換精度を向上できるＡＤ変換器及び受信装置について説明する。
【００１５】
（開示の一態様の概要）
本開示の第１のＡＤ変換器は、
第２のクロックを用いて、第１のクロックを生成するクロック生成器と、
前記第１のクロックの第１の期間において、入力信号と所定値とを比較するための比較回路と、前記第１のクロックの第２の期間において、次回の比較動作のために内部電圧を所定値にプリチャージするためのプリチャージ回路と、を含む比較器と、
を備え、
前記クロック生成器は、
前記比較器のプリチャージ回路のレプリカ回路を含み、
前記プリチャージ回路のレプリカ回路において、プリチャージの開始から終了までの期間であるプリチャージ期間を、前記第１のクロックの第２の期間とする。
【００１６】
また、本開示の第２のＡＤ変換器は、第１のＡＤ変換器であって、
前記クロック生成器は、前記プリチャージ回路のレプリカ回路に含まれる内部ブロックにおける遅延時間に基づいて、前記第１のクロックを生成する。
【００１７】
また、本開示の第３のＡＤ変換器は、第１のＡＤ変換器であって、
前記比較器は、複数段の内部ブロックとラッチ回路とを含み、
前記比較回路は、
前記複数段の内部ブロックのうち、初段の内部ブロックに含まれ、前記入力信号が入力される入力用トランジスタと、
前記複数段の内部ブロックのうち、前記ラッチ回路に接続され、ラッチを構成する第２の内部ブロックと、
を含み、
前記プリチャージ回路は、
前記複数段の内部ブロックのうち、前記初段の内部ブロックに含まれ、前記第１のクロックが入力されるプリチャージ用トランジスタ、
を含む。
【００１８】
また、本開示の第４のＡＤ変換器は、第３のＡＤ変換器であって、
前記クロック生成器は、
複数段の内部ブロックを含み、
前記複数段の内部ブロックのうち、初段の内部ブロックは、前記第２のクロックが入力されるプリチャージ用トランジスタと、所定の電圧が入力される入力用トランジスタと、を含み、
前記複数段の内部ブロックのうち、前記第１のクロックを出力する内部ブロックは、前記比較回路の第２の内部ブロックの配線を変更した内部ブロックである。
【００１９】
また、本開示の第５のＡＤ変換器は、第１ないし第４のいずれか１つのＡＤ変換器であって、
前記クロック生成器は、前記第１の期間を調整するための遅延制御回路を備える。
【００２０】
また、本開示の第６のＡＤ変換器は、第１ないし第５のいずれか１つのＡＤ変換器であって、
前記第１の期間は、前記プリチャージ期間と同じである。
【００２１】
また、本開示の第７のＡＤ変換器は、第１ないし第５のいずれか１つのＡＤ変換器であって、
前記第１の期間は、前記プリチャージ期間よりも長い。
【００２２】
また、本開示の第８のＡＤ変換器は、第１ないし第７のいずれか１つのＡＤ変換器であって、
前記比較器は、差動比較器である。
【００２３】
また、本開示の第９のＡＤ変換器は、第１ないし第８のいずれか１つのＡＤ変換器であって、
前記クロック生成器は、前記比較器に含まれるトランジスタと物理的に同一の大きさのトランジスタを含む。
【００２４】
また、本開示の第１０のＡＤ変換器は、第１ないし第８のいずれか１つのＡＤ変換器であって、
前記クロック生成器は、前記比較器に含まれるトランジスタと同一の構成のトランジスタを含む。
【００２５】
また、本開示の第１１のＡＤ変換器は、第１ないし第１０のいずれか１つのＡＤ変換器であって、
前記比較器を複数個備え、
各比較器は、並列に接続され、前記クロック生成器から出力された同一の前記第１のクロックを入力する。
【００２６】
また、本開示の受信装置は、
複数の通信規格に準拠する受信装置であって、
第１ないし第１１のいずれか１つに記載のＡＤ変換器と、
前記ＡＤ変換器に入力するクロックを、通信規格に応じて生成するクロック生成部と、
前記ＡＤ変換器から出力された変換信号を、前記通信規格に応じて復調する復調部と、
前記復調部による復調処理の方式及び前記クロック生成部が生成するクロックを、前記通信規格に応じて決定するアクセス制御部と、
を備える。
【００２７】
（第１の実施形態）
図１は、第１の実施形態におけるＡＤ変換器１００の構成例を示す図である。ＡＤ変換器１００は、コンパレータ（Ｃｏｍｐａｒａｔｏｒ：比較器）１０１及びクロック生成器１０２を備える。クロック生成器１０２は、コンパレータ１０１のレプリカ回路を含むプリチャージ期間生成器１０６を備える。
【００２８】
コンパレータ１０１は、クロック生成器１０２から出力されるコンパレータクロック２０２がｈｉｇｈであると、比較動作する。比較動作では、入力信号２０３と所定値２０４とを比較し、比較結果２０５を出力する。また、コンパレータ１０１は、コンパレータクロック２０２がＬｏｗであると、プリチャージ動作する。プリチャージ動作は、次回の比較動作するための充電動作である。なお、コンパレータクロック２０２がＬｏｗでは比較動作し、コンパレータクロック２０２がＨｉｇｈではプリチャージ動作してもよい。
【００２９】
クロック生成器１０２は、外部クロック２０１を入力し、周期的に極性が反転するコンパレータクロック２０２を生成する。コンパレータクロック２０２の周期は、外部クロック２０１の周期と同一である。クロック生成器１０２は、コンパレータクロック２０２の第１の期間において、コンパレータ１０１がプリチャージ動作するためのクロック極性（例えばＬｏｗ）とする。第１の期間は、プリチャージ期間生成器１０６の内部ブロックにおける遅延時間に相当する。一方、クロック生成器１０２は、コンパレータクロック２０２の第１の期間以外の第２の期間において、コンパレータ１０１が比較動作するためのクロック極性（例えばＨｉｇｈ）とする。
【００３０】
なお、図面では、外部クロック２０１を「Ｅ−ＣＬＫ」とも記載する。コンパレータクロック２０２を「Ｃ−ＣＬＫ」とも記載する。
【００３１】
次に、コンパレータ１０１の詳細について説明する。図２は、コンパレータ１０１の回路例を示す図である。コンパレータ１０１は、複数段の内部ブロックを含む。ここでは、内部ブロックが２段であるが、３段以上であってもよい。初段の内部ブロックＮ１１には、プリチャージ用トランジスタＴ１１及び入力用トランジスタＴ１２を含む。
【００３２】
プリチャージ用トランジスタＴ１１には、コンパレータクロック（Ｃ−ＣＬＫ）２０２が入力される。入力用トランジスタＴ１２には、複数の信号ＶＩＮＰ及びＶＩＮＭが入力される。ＶＩＮＰ及びＶＩＮＭは、コンパレータ１０１により比較される２つの入力信号である。ＶＩＮＰは例えば入力信号２０３であり、ＶＩＮＭは例えば所定値２０４である。
【００３３】
Ｎｏｄｅ１ｐ及びＮｏｄｅ１ｍは、コンパレータ１０１内の初段の内部ブロックＮ１１の出力であり、Ｎｏｄｅ１ｐが出力信号の正側、Ｎｏｄｅ１ｍが出力信号の負側である。Ｎｏｄｅ２ｐ及びＮｏｄｅ２ｍは、コンパレータ１０１内の二段目の内部ブロックＮ１２の出力であり、Ｎｏｄｅ２ｐが出力信号の正側、Ｎｏｄｅ２ｍが出力信号の負側である。なお、内部ブロックＮ１２は、ＮＯＲラッチを構成する。
【００３４】
Ｎｏｄｅ２ｐ及びＮｏｄｅ２ｍは、それぞれインバータ２０７に接続される。インバータ２０７は、それぞれＮＡＮＤラッチ回路２０６に接続される。なお、図２では、インバータ２０７を用いて構成するが、インバータ２０７を省略することもでき、その場合は、ＮＡＮＤラッチ回路２０６の代わりに、ＮＯＲラッチ回路を用いる。つまり、コンパレータ１０１は全体としてラッチ構成を有する。
【００３５】
ＮＡＮＤラッチ回路２０６の出力としてのＯＵＴＭ及びＯＵＴＰが、比較結果２０５として出力される。図１では、比較結果２０５は、単線で記載しているが、ＯＵＴＭ及びＯＵＴＰを含む。なお、比較結果２０５は、ＯＵＴＭ又はＯＵＴＰのいずれかであってもよい。
【００３６】
以上より、図２のコンパレータ１０１の構成では、プリチャージ動作に関する内部ブロックは、プリチャージ用トランジスタＴ１１となり、入力信号と所定値との比較動作に関する内部ブロックは、入力用トランジスタＴ１２、内部ブロックＮ１２、インバータ２０７、ＮＡＮＤラッチ回路２０６となる。
【００３７】
図３は、コンパレータ１０１のタイミングチャートの一例を示す図である。図３（ａ）はコンパレータクロック２０２の出力の一例であり、図３（ｂ）はＮｏｄｅ１ｐ及びＮｏｄｅ１ｍの出力の一例であり、図３（ｃ）はＮｏｄｅ２ｐ及びＮｏｄｅ２ｍの出力の一例であり、図３（ｄ）はＯＵＴＰ、ＯＵＴＭの出力の一例である。
【００３８】
時刻ｔ１１においてコンパレータクロック（Ｃ−ＣＬＫ）２０２が立ち下がると、つまりＬｏｗ期間になると、コンパレータ１０１のプリチャージ動作が始まり、Ｎｏｄｅ１ｐ及びＮｏｄｅ１ｍがグランド電位から電源電位まで立ち上がる。Ｎｏｄｅ１ｐ及びＮｏｄｅ１ｍが立ち上がり、所定の電圧に達すると、Ｎｏｄｅ２ｐ及びＮｏｄｅ２ｍの一方はグランド電位に維持され、Ｎｏｄｅ２ｐ及びＮｏｄｅ２ｍの他方は電源電位からグランド電位に立ち下がる。
【００３９】
なお、プリチャージ期間は、例えば、Ｎｏｄｅ１ｐ及びＮｏｄｅ１ｍがグランド電位から立ち上がり始めた時点ｔ１１から、Ｎｏｄｅ２ｐ及びＮｏｄｅ２ｍがグランド電位となった時点ｔ１２までの期間である。
【００４０】
なお、Ｎｏｄｅ１ｐとＮｏｄｅ１ｍとの間、又は、Ｎｏｄｅ２ｐとＮｏｄｅ２ｍとの間に差があると、次回の比較動作に影響を与えて正確な比較が困難であるので、プリチャージ期間は長いことが望ましい。
【００４１】
続いて、時刻ｔ１３においてコンパレータクロック２０２が立ち上がると、つまりＨｉｇｈ期間になると、比較動作が始まり、Ｎｏｄｅ１ｐ及びＮｏｄｅ１ｍは電源電位からグランド電位に立ち下がる。ＶＩＮＰとＶＩＮＭとの電位差により、Ｎｏｄｅ１ｐが立ち下がる速度とＮｏｄｅ１ｍが立ち下がる速度とに差が現われる。
【００４２】
ＶＩＮＰがＶＩＮＭよりも高電位である場合、Ｎｏｄｅ１ｍがＮｏｄｅ１ｐよりも早く立ち下がる。Ｎｏｄｅ１ｐ及びＮｏｄｅ１ｍが立ち下がると、Ｎｏｄｅ２ｐ及びＮｏｄｅ２ｍが立ち上がろうとする。しかし、２段目の内部ブロックＮ１２はラッチ構成になっているので、Ｎｏｄｅ２ｐ及びＮｏｄｅ２ｍが同時に立ち上がることはない。
【００４３】
図３（ｂ）において、Ｎｏｄｅ１ｐ（破線）がＮｏｄｅ１ｍ（実線）よりも早く立ち下がると、Ｎｏｄｅ２ｍがＮｏｄｅ２ｐよりも早く立ち上がり始めて、Ｎｏｄｅ２ｐが立ち上がることを抑制する。従って、図３（ｃ）において、Ｎｏｄｅ２ｍ（実線）は立ち上がり、Ｎｏｄｅ２ｐ（破線）はグランド電位に戻っていく。
【００４４】
一方、ＶＩＮＰがＶＩＮＭよりも低電位である場合、図３（ｂ）において、Ｎｏｄｅ１ｐ（破線）がＮｏｄｅ１ｍ（実線）よりも早く立ち下がる。Ｎｏｄｅ１ｍ及びＮｏｄｅ１ｐが立ち下がると、図３（ｃ）において、Ｎｏｄｅ２ｍ及びＮｏｄｅ２ｐが立ち上がろうとする。しかし、２段目の内部ブロックＮ１２はラッチ構成になっているので、Ｎｏｄｅ２ｐ及びＮｏｄｅ２ｍが同時に立ち上がることはない。
【００４５】
図３（ｂ）において、Ｎｏｄｅ１ｐがＮｏｄｅ１ｍよりも早く立ち下がると、図３（ｃ）において、Ｎｏｄｅ２ｍがＮｏｄｅ２ｐよりも早く立ち上がり始めて、Ｎｏｄｅ２ｐが立ち上がることを抑制する。従って、Ｎｏｄｅ２ｍ（実線）は立ち上がり、Ｎｏｄｅ２ｐ（破線）はグランド電位に戻っていく。
【００４６】
従って、ＶＩＮＰがＶＩＮＭよりも高電位では、比較結果２０５としてＨｉｇｈが出力され、ＶＩＮＰがＶＩＮＭよりも低電位では、比較結果２０５としてＬｏｗが出力される。
【００４７】
また、コンパレータ１０１は、ＶＩＮＰ及びＶＩＮＭをさらに１つずつ設け、差動構成としてもよい。入力信号２０３及び所定値２０４としてのリファレンス信号も差動となる。コンパレータ１０１への入力信号が差動であっても、コンパレータ１０１が差動構成であれば、２つの入力信号をコンパレータ１０１に入力できるので、コンパレータ１０１内において信号パワーを２倍にでき、ノイズの影響を半分にできる。
【００４８】
次に、クロック生成器１０２の詳細について説明する。
図４は、クロック生成器１０２の第１回路例を示す図である。
【００４９】
クロック生成器１０２は、外部クロック２０１を入力し、インバータ１０７を介して、外部クロック２０１を第１クロック２１７と第２クロック２１８とに分岐させる。なお、第１クロック２１７と第２クロック２１８との周期と位相は同一である。
【００５０】
プリチャージ期間生成器１０６は、第２クロック２１８を入力し、論理反転し、反転結果をコンパレータ１０１によるプリチャージ期間分遅延させ、第３クロック２１９として出力する。ＯＲ回路１０５は、第１クロック２１７と第３クロック２１９とを入力し、第１クロック２１７と第３クロック２１９との論理和をコンパレータクロック２０２として出力する。
【００５１】
なお、図面においては、第１クロック２１７を「ｃｌｋ１」とも記載する。また、第２クロック２１８を「ｃｌｋ２」とも記載する。また、第３クロック２１９を「ｃｌｋ３」とも記載する。
【００５２】
図５は、クロック生成器１０２の第１回路例のタイミングチャートの一例を示す図である。ここでは、外部クロック２０１、第１クロック２１７及び第２クロック２１８、第３クロック２１９、並びにコンパレータクロック２０２の出力例を示す。
【００５３】
コンパレータクロック２０２の第１の期間は、プリチャージ期間生成器１０６の内部ブロックの動作に起因する遅延期間であり、コンパレータ１０１のプリチャージ期間に相当する期間（プリチャージ模擬動作期間）である。図５では、クロック生成器１０２により出力されるコンパレータクロック２０２は、プリチャージ期間においてＬｏｗになる。
【００５４】
図６は、クロック生成器１０２の第２回路例を示す図である。
図６のクロック生成器１０２は、コンパレータ１０１のプリチャージ期間に対応するコンパレータクロック２０２の第１の期間を調整できる。図６のクロック生成器１０２では、ＯＲ回路１０５の前段に遅延制御回路１１０が挿入され、プリチャージ期間生成器１０６の前段に遅延制御回路１１１が挿入される。
【００５５】
遅延制御回路１１０，１１１は、コンパレータクロック２０２の第１の期間を調整するための回路である。遅延制御回路１１０，１１１を備えることで、より高精度にコンパレータ１０１のプリチャージ期間を推定でき、好適にコンパレータ１０１がプリチャージできる。
【００５６】
遅延制御回路１１０は、例えば、外部から入力される第１遅延制御信号２２３により遅延時間を制御する。遅延制御回路１１１は、例えば、外部から入力される第２遅延制御信号２２４により遅延時間を制御する。
【００５７】
遅延制御回路１１０の遅延時間を長くする、又は、遅延制御回路１１１の遅延時間を短くすると、コンパレータクロック２０２の第１の期間は短くなる。一方、遅延制御回路１１０の遅延時間を長くする、又は、遅延制御回路１１１の遅延時間を短くすると、コンパレータクロック２０２の第２の期間は長くなる。
【００５８】
コンパレータ１０１がプリチャージ動作する場合、Ｎｏｄｅ１ｐとＮｏｄｅ１ｍとの差、又は、Ｎｏｄｅ２ｐとＮｏｄｅ２ｍとの差があると、ノード間の差は次回の比較動作の誤差となる。プリチャージ期間を長めに設けることにより、Ｎｏｄｅ１ｐ及びＮｏｄｅ１ｍを電源電圧に安定し、Ｎｏｄｅ２ｐ及びＮｏｄｅ２ｍをグランド電位に安定するため、次の比較動作の誤差が小さくなる。プリチャージ期間を長めに設けるためには、コンパレータクロック２０２の第１の期間を、コンパレータ１０１のプリチャージ期間よりも長く設定しておけばよい。
【００５９】
図７は、クロック生成器１０２の第３回路例を示す図である。クロック生成器１０２の第１回路例と比較すると、インバータ１０７を備えず、ＯＲ回路１０５がＮＡＮＤ回路１０９に変更されている。インバータ１０７を備えていないため、外部クロック２０１は、反転されずにＮＡＮＤ回路１０９及びプリチャージ期間生成器１０６へ出力される。ＮＡＮＤ回路１０９は、外部クロック２０１とプリチャージ期間生成器１０６から出力される第４クロック２２２とを入力し、論理演算する。図面においては、第４クロック２２２を「ｃｌｋ４」とも記載する。
【００６０】
クロック生成器１０２の第３回路例の構成であっても、プリチャージ期間生成器１０６の遅延時間（第１の期間）は、コンパレータクロック２０２のプリチャージ期間に対応する。
【００６１】
なお、クロック生成器１０２において、外部クロック２０１を分岐させた後にバッファを挿入することによって、高周波信号の鈍りを抑制できる。
【００６２】
次に、プリチャージ期間生成器１０６の詳細について説明する。
図８は、プリチャージ期間生成器１０６の第１回路例を示す図である。図９は、プリチャージ期間生成器１０６の第２回路例を示す図である。
【００６３】
プリチャージ期間生成器１０６は、コンパレータ１０１のプリチャージ動作を検証するため、プリチャージ動作を模擬した動作であるプリチャージ模擬動作を行う。図８及び図９では、プリチャージ期間生成器１０６は、コンパレータ１０１のレプリカ回路を含む。レプリカ回路は、コンパレータ１０１に含まれるプリチャージ動作に係る構成を含む。プリチャージ期間生成器１０６は、例えばコンパレータ１０１と同数のトランジスタを含む。
【００６４】
具体的には、プリチャージ期間生成器１０６は、コンパレータ１０１と同様に、複数段の内部ブロックを含む。ここでは、内部ブロックが２段であるが、３段以上であってもよい。初段の内部ブロックＮ２１には、プリチャージ用トランジスタＴ２１及び入力用トランジスタＴ２２を含む。また、プリチャージ期間生成器１０６は、例えばコンパレータ１０１と同数のトランジスタを含む。
【００６５】
一方、プリチャージ期間生成器１０６は、プリチャージ動作には影響を与えないコンパレータ１０１におけるＮＡＮＤラッチ回路２０６に相当する回路を含まない。また内部ブロックＮ２２は、図２のコンパレータ１０１のＮ１２とは配線を変更し、また、ＮＡＮＤラッチ回路２０６にも接続されないため、ラッチ構成ではなくなり、ｃｌｋ２がＨｉｇｈであると、ｐｒｅ.ｎｏｄｅ２ｐとｐｒｅ.ｎｏｄｅ２ｍはそれぞれ立ち上がることができる。よって、プリチャージ期間に対応する第１の期間は、入力信号の電位差に依存せず、一定となる。さらに、比較期間に対応する第２の期間も、一定となる。
【００６６】
プリチャージ用トランジスタＴ２１には、第２クロック２１８が入力される。入力用トランジスタＴ２２には、所定の電圧（例えば電源電圧ＶＤＤ）が入力される。なお、ＶＤＤでなくても、例えば０．６Ｖ以上の所定の電圧が入力されてもよい。
【００６７】
ｐｒｅ．Ｎｏｄｅ１ｐ及びｐｒｅ．Ｎｏｄｅ１ｍは、プリチャージ期間生成器１０６内の初段の内部ブロックＮ２１の出力であり、ｐｒｅ．Ｎｏｄｅ１ｐが出力信号の正側、ｐｒｅ．Ｎｏｄｅ１ｍが出力信号の負側である。ｐｒｅ．Ｎｏｄｅ２ｐ及びｐｒｅ．Ｎｏｄｅ２ｍは、プリチャージ期間生成器１０６内の二段目の内部ブロックＮ２２の出力であり、ｐｒｅ．Ｎｏｄｅ２ｐが出力信号の正側、ｐｒｅ．Ｎｏｄｅ２ｍが出力信号の負側である。
【００６８】
ｐｒｅ．Ｎｏｄｅ２ｍは、インバータ２３１に接続される。インバータ２３１の出力が、第３クロック２１９として出力される。インバータ２３１をｐｒｅ．Ｎｏｄｅ２ｍの後段に挿入することにより、インバータ２３１が負荷として機能し、プリチャージ期間生成器１０６における遅延時間が、コンパレータ１０１のプリチャージ期間と等しくなる。
【００６９】
図１０は、プリチャージ期間生成器１０６のタイミングチャートの一例を示す図である。プリチャージ期間生成器１０６の入力としての第２クロック２１８が立ち下がると、ｐｒｅ.Ｎｏｄｅ１ｐとｐｒｅ.Ｎｏｄｅ１ｍとが立ち上がる（例えば電源電位となる）。そして、ｐｒｅ.Ｎｏｄｅ２ｐとｐｒｅ.Ｎｏｄｅ２ｍとが立ち下がる（例えばグランド電位となる）。つまり、ｐｒｅ.Ｎｏｄｅ１ｐとｐｒｅ.Ｎｏｄｅ１ｍとが所定値以上となり、ｐｒｅ.Ｎｏｄｅ２ｐとｐｒｅ.Ｎｏｄｅ２ｍとが所定値以下となると、プリチャージ期間生成器１０６の出力としての第３クロック２１９が立ち上がる。
【００７０】
プリチャージ期間生成器１０６は、各内部ブロックＮ２１，Ｎ２２の電圧が所定値（例えば電源電位又はグランド電位）に達した時点に基づいて、前記第１の期間の開始時点及び終了時点を決定してもよい。これにより、各内部ブロックの出力からコンパレータ１０１のプリチャージ期間を推定できる。
【００７１】
プリチャージ期間生成器１０６のプリチャージ模擬動作は、コンパレータ１０１のプリチャージ動作と同じ動作である。従って、プリチャージ期間生成器１０６により生成される遅延時間（第１の期間）は、コンパレータ１０１のプリチャージ動作の遅延時間と等しくなる。第１の期間とプリチャージ期間とを等しくすることで、第１の期間を最短期間に設定でき、比較期間に対応する第２の期間をより長く確保できる。従って、コンパレータ１０１の最小解像度をより向上できる。
【００７２】
また、プリチャージ模擬動作は、コンパレータ１０１のプリチャージ動作を模擬し、プリチャージ期間に相当する遅延時間を生成することが目的である。従って、プリチャージ期間生成器１０６は、コンパレータ１０１に含まれるトランジスタの全てを含まなくても良い。つまり、プリチャージ期間生成器１０６は、コンパレータ１０１に含まれるトランジスタと同一の構成のトランジスタを一部含めばよく、一部省略されてもよい。トランジスタの一部を省略することにより、プリチャージ期間生成器１０６を小面積化及び低消費電力化できる。
【００７３】
また、コンパレータ１０１に含まれるトランジスタとプリチャージ期間生成器１０６に含まれるトランジスタとは、例えば物理的に同一の大きさである。物理的な大きさとは、例えばＬＷ（縦横）サイズである。物理的な大きさを同じにすることにより、プリチャージ動作をより正確に模擬できる。
【００７４】
また、コンパレータ１０１のプリチャージ動作は、図３の時刻ｔ１１〜ｔ１２のプリチャージ期間において実行される。プリチャージ期間は、図１０の時刻ｔ２１〜２２のプリチャージ模擬動作期間（第１の期間）に相当する。
【００７５】
図１０では、プリチャージの模擬動作においては、全ての内部ブロック（ここでは内部ブロックＮ２１及びＮ２２）がグランド電位と電源電位との間において振幅（フル振幅）する。つまり、デジタル回路的に、グランド電位及び電源電位のいずれかの電位に動作する。これは、図８、図９のＮ２２はラッチ構成を含まないためである。従って、微小電圧のノイズ（例えば、±１ｍｖのトランジスタノイズ又は熱ノイズ）が重畳されても、プリチャージ動作に対して遅延時間が大きく変化しない。
【００７６】
また、コンパレータ１０１の比較期間として、コンパレータ１０１が比較対象とする信号の最小入力電圧差を比較するための時間を確保する必要がある。よって、まず、コンパレータ１０１の入力用トランジスタＴ１２に入力される最小入力電圧差を比較するために必要な時間を算出する。そして、コンパレータクロック２０２の一周期分から、上記算出された時間を除いた期間に、コンパレータ１０１のプリチャージ動作が完了するよう、コンパレータ１０１を設計する。なお、ＣＬＫ３の立ち下がりポイントは、ＣＬＫ２がＨｉｇｈである期間内であれば良い。図１０において、例えば、ｐｒｅ.Ｎｏｄｅ１ｐ及びｐｒｅ.Ｎｏｄｅ１ｍがグランド電位になった場合、又は、ｐｒｅ.Ｎｏｄｅ２ｐ及びｐｒｅ.Ｎｏｄｅ２ｍが電源電位になった場合、ＣＬＫ３を立ち下げれば良い。
【００７７】
プリチャージ期間生成器１０６によれば、フル振幅により行われるプリチャージの模擬動作に基づいて、コンパレータ１０１のプリチャージ期間に相当するコンパレータクロック２０２の第１の期間を決定できる。また、プリチャージ動作の模擬動作はフル振幅であるので、ノイズによってコンパレータクロック２０２の第１の期間が変動せず、コンパレータクロック２０２のデューティは毎クロック一定である。従って、コンパレータ１０１の最小解像度は、毎クロック同じ精度を維持できる。
【００７８】
また、プリチャージ期間生成器１０６の前段に、図６に示した遅延制御回路１１１を挿入することを想定する。ｐｒｅ.Ｎｏｄｅ１ｐ及びｐｒｅ.Ｎｏｄｅ１ｍをＶＤＤまで確実にセトリング（Ｓｅｔｔｌｉｎｇ）でき、ｐｒｅ.Ｎｏｄｅ２ｐ及びｐｒｅ.Ｎｏｄｅ２ｍを電源電位まで確実にセトリングできる。これにより、プリチャージが完了する前に論理（比較動作）が進行することを回避できる。
【００７９】
次に、コンパレータクロック２０２のクロック周波数について説明する。
図１１は、コンパレータクロック２０２のクロック周波数の一例を示す図である。クロックＡ及びクロックＢは、コンパレータクロック２０２の一例である。クロックＡの周期は、クロックＢの周期よりも短い。
【００８０】
コンパレータクロック２０２の周期から、プリチャージ期間に相当する第１の期間を除いた期間が、比較期間に相当する第２の期間である。第１の期間は、上述の通りクロック周波数によっては変化しないので、クロック周波数を低くした場合、クロック周期が長くなった分第２の期間を長くできる。コンパレータ１０１の比較期間が長くなると最小解像度は小さくなる、つまり、解像度が向上するので、コンパレータクロック２０２の第２の期間が長くなると、コンパレータ１０１の最小解像度を小さくできる。
【００８１】
ＡＤ変換器１００は、比較器及びクロック生成器１０２を備える。比較器は、第１のクロックの第１の期間において、入力信号と所定値とを比較するための比較回路と、第１のクロックの第２の期間において、次回の比較動作のために内部電圧を所定値にプリチャージするためのプリチャージ回路と、を含む比較器と、を含む。クロック生成器１０２は、第２のクロックを用いて、第１のクロックを生成する。また、クロック生成器１０２は、比較器のプリチャージ回路のレプリカ回路を含み、プリチャージ回路のレプリカ回路において、プリチャージの開始から終了までの期間を、第１のクロックの第２の期間とする。
【００８２】
比較器は、例えばコンパレータ１０１である。第１のクロックは、例えばコンパレータクロック２０２である。第２のクロックは、例えば外部クロック２０１である。
【００８３】
ＡＤ変換器１００によれば、プリチャージの模擬動作はフル振幅動作なので、第１の期間はノイズの影響をほとんど受けず一定である。また、比較器のレプリカの比較時間からクロックのＨｉｇｈ期間を決定するのではなく、レプリカの比較器のプリチャージ期間に相当する期間からクロックのＬｏｗ期間を決定する。従って、クロックデューティは一定である。
【００８４】
また、クロックのＬｏｗ期間を一定に決定し、残りの期間をＨｉｇｈとする。従って、クロック周波数を低くすると、周期が長くなった分、Ｈｉｇｈ期間が長くなり、比較器の比較できる最小電圧差も小さくなり、ＡＤ変換器の解像度が細かくなる。
【００８５】
また、コンパレータ１０１のクロックのデューティが毎回等しいので、コンパレータ１０１の最小解像度がクロック毎に等しく、ＳＮＲ（Ｓｉｇｎａｌ  ｔｏ  Ｎｏｉｓｅ  Ｒａｔｉｏ）が設計値どおりとなり、高精度に計測可能となる。
【００８６】
（第２の実施形態）
図１２は、第２の実施形態におけるＡＤ変換器１００Ｂの構成例を示す図である。ＡＤ変換器１００Ｂは、フラッシュＡＤ変換器である。ＡＤ変換器１００Ｂは、複数のコンパレータ１０１Ａ，１０１Ｂ，１０１Ｃ，１０１Ｄと、クロック生成器１０２と、を備える。なお、コンパレータの台数はこれに限られない。
【００８７】
各コンパレータ１０１Ａ〜１０１Ｄは、クロック生成器１０２から出力された同一のコンパレータクロック２０２を入力する。また、各コンパレータ１０１Ａ〜１０１Ｄに設定される各所定値２０４Ａ〜２０４Ｄは、各々異なる電圧である。各コンパレータ１０１Ａ〜１０１Ｄから出力される比較結果２０５Ａ〜２０５Ｄは、例えば温度計コードにより表される。
【００８８】
例えば、所定値２０４Ａ：９５０ｍＶ、所定値２０４Ｂ：９００ｍＶ、所定値２０４Ｃ：８５０ｍＶ、所定値２０４Ｄ：８００ｍＶとする。入力信号２０３が８００ｍＶ未満では、温度計コードは、２０５Ａ，Ｂ，Ｃ，Ｄ＝（０，０，０，０）となる。すなわち、比較結果２０５Ａ〜２０５Ｄは「０」つまり「Ｌｏｗ」となる。
【００８９】
なお、理想的なコンパレータの動作としては、入力電圧と所定値とが等しい場合、コンパレータの出力はメタステーブル状態となる。ただし、ノイズの影響によって、Ｈｉｇｈ又はＬｏｗとなるので、ここでは、Ｈｉｇｈとして説明する。
【００９０】
また、入力信号２０３が８００ｍＶ以上８５０ｍＶ未満では、温度計コードは、２０５Ａ，Ｂ，Ｃ，Ｄ＝（０，０，０，１）となる。すなわち、比較結果２０５Ａ〜２０５Ｃは「０」となり、比較結果２０５Ｄは「１」つまり「Ｈｉｇｈ」となる。
【００９１】
また、入力信号２０３が８５０ｍＶ以上９００ｍＶ未満では、温度計コードは、２０５Ａ，Ｂ，Ｃ，Ｄ＝（０，０，１，１）となる。すなわち、比較結果２０５Ａ，２０５Ｂは「０」となり、比較結果２０５Ｃ，２０５Ｄは「１」となる。
【００９２】
また、入力信号２０３が９００ｍＶ以上９５０ｍＶ未満では、温度計コードは、２０５Ａ，Ｂ，Ｃ，Ｄ＝（０，１，１，１）となる。すなわち、比較結果２０５Ａは「０」となり、２０５Ｂ〜２０５Ｄは「１」となる。
【００９３】
また、入力信号２０３が９５０ｍＶ以上では、温度計コードは、２０５Ａ，Ｂ，Ｃ，Ｄ＝（１，１，１，１）となる。すなわち、比較結果２０５Ａ〜２０５Ｄは「１」となる。
【００９４】
ＡＤ変換器１００Ｂでは、複数のコンパレータ１０１Ａ〜１０１Ｄを複数個並列に並べ、複数のコンパレータ１０１Ａ〜１０１Ｄのクロックとしてコンパレータクロック２０２を与える。ＡＤ変換器１００Ｂによれば、全てのコンパレータ１０１Ａ〜１０１Ｄのクロックのデューティが等しいので、コンパレータ１０１Ａ〜１０１Ｄの最小解像度が等しく、ＳＮＲが設計値どおりとなる。従って、高精度に計測可能なフラッシュＡＤ変換器を実現できる。
【００９５】
（第３の実施形態）
図１３は、第３の実施形態における受信装置１０００の構成例を示す図である。受信装置１０００は、複数の通信規格に準拠した受信装置である。受信装置１０００は、第１クロック生成部１０１０，第２クロック生成部１０２０、選択部１０３０、ＡＤ変換器１０４０、復調部１０５０，１０６０、及びアクセス制御部１０７０を備える。
【００９６】
第１クロック生成部１０１０，第２クロック生成部１０２０は、クロックを発生させる装置であり、例えば、水晶発振器、パルスジェネレータ、ファンクションジェネレータである。第１クロック生成部１０１０は、第１の通信規格に準拠した通信を実現するための第１クロック１０１１を生成する。第２クロック生成部１０２０は、第２の通信規格に準拠した通信を実現するための第２クロック１０２１を生成する。
【００９７】
選択部１０３０は、アクセス制御部１０７０からの指令に応じて、第１クロック生成部１０１０又は第２クロック生成部１０２０を選択する。
【００９８】
ＡＤ変換器１０４０は、先に説明したＡＤ変換器１００又は１００Ｂである。ＡＤ変換器１０４０は、受信信号を入力し、入力されたアナログ信号をデジタル信号に変換し、変換信号を出力する。
【００９９】
第１の復調部１０５０は、受信装置１０００が第１の通信規格に準拠する場合に、ＡＤ変換器１０４０からのデジタル信号を第１の通信規格に従って復調する。つまり、第１の復調部１０５０は、第１の復調処理を行う。第２の復調部１０６０は、受信装置１０００が第２の通信規格に準拠する場合に、ＡＤ変換器１０４０からのデジタル信号を第２の通信規格に従って復調する。つまり、第２の復調部１０６０は、第２の復調処理を行う。
【０１００】
アクセス制御部１０７０は、例えば受信信号により通信に用いられた通信規格を推定し、通信規格に応じて、選択部１０３０から出力するクロックと、第１の復調部１０５０又は第２の復調部１０６０による復調処理の方式と、を決定する機能を有する。
【０１０１】
なお、通信開始時は、第１の通信規格を用いることを、予め、送信機と受信機間において定めておく。
【０１０２】
アクセス制御部１０７０は、復調部１０５０、１０６０の出力（例えば、音楽ファイル、動画ストリーミングデータ）をホスト（ＰＣ又はアプリケーション）に出力する。
【０１０３】
第１の通信規格では、選択部１０３０は、第１クロック生成部１０１０により生成された第１クロック１０１１を、ＡＤ変換器１０４０に出力する。次に、第１の復調部１０５０は、ＡＤ変換器１０４０の出力に対して復調処理する。
【０１０４】
第２の通信規格では，選択部１０３０は、第２クロック生成部１０２０により生成された第２クロック１０２１を、ＡＤ変換器１０４０に出力する。次に、第２の復調部１０６０は、ＡＤ変換器１０４０の出力に対して復調処理する。
【０１０５】
受信装置１０００によれば、受信信号から推定される通信規格に対応して復調処理できる。また、複数の通信規格に準拠する通信システムにおいて、ＡＤ変換器１０４０を用いる場合、クロック周波数に対応するサンプリングレートの低い方の通信規格の有効ビットを増加できる。
【０１０６】
例えば、ＩＥＥＥ８０２．１１ａｄ規格の通信には、ＳＣ−ＰＨＹ及びＯＦＤＭ−ＰＨＹのモードがある。ＯＦＤＭ−ＰＨＹではＳＣ−ＰＨＹよりもサンプリングレートを低下させてもよいが、高い分解能（最小解像度）が要求される。ＡＤ変換器１０４０は、クロック周波数を低下させることで有効ビット数を増加でき、高い分解能を確保できる。従って、ＩＥＥＥ８０２．１１ａｄの上記２つのモードに好適である
【０１０７】
本開示は、上記実施形態の構成に限られるものではなく、特許請求の範囲で示した機能、または本実施形態の構成が持つ機能が達成できる構成であれば、どのようなものであっても適用可能である。
【０１０８】
上記実施形態では、本開示はハードウェアを用いて構成する場合を例にとって説明したが、本開示はハードウェアとの連携においてソフトウェアでも実現することも可能である。
【０１０９】
また、上記実施形態の説明に用いた各機能ブロックは、典型的には集積回路であるＬＳＩとして実現される。これらは個別に１チップ化されてもよいし、一部または全てを含む１チップとしてもよい。ここでは、ＬＳＩとしてもよいし、集積度の違いにより、ＩＣ、システムＬＳＩ、スーパーＬＳＩ、ウルトラＬＳＩと呼称してもよい。
【０１１０】
また、集積回路化の手法はＬＳＩに限るものではなく、専用回路または汎用プロセッサで実現してもよい。例えば、ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、ＬＳＩ内部の回路セルの接続、又は、設定を再構成可能なリコンフィギュラブル・プロセッサを利用してもよい。
【０１１１】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【０１１２】
本開示は、2012年9月7日出願の日本特許出願No.2012-197704に基づくものであり、その内容はここに参照として取り込まれる。
【産業上の利用可能性】
【０１１３】
本開示は、ＡＤ変換器の変換精度を向上できるＡＤ変換器及び受信装置等に有用である。
【符号の説明】
【０１１４】
１００，１００Ｂ  ＡＤ変換器
１０１，１０１Ａ〜１０１Ｄ  コンパレータ
１０２  クロック生成器
１０５  ＯＲ回路
１０６  プリチャージ期間生成器
１０７  インバータ
１０９  ＮＡＮＤ回路
１１０，１１１  遅延調整回路
２０１  外部クロック
２０２  コンパレータクロック
２０３  入力信号
２０４，２０４Ａ〜２０４Ｄ  所定値
２０５，２０５Ａ〜２０５Ｄ  比較結果
２０６  ＮＡＮＤラッチ回路
２０７−１，２０７−２、２３１−１，２３２−２  インバータ
２１７  第１クロック
２１８  第２クロック
２１９  第３クロック
２２２  第４クロック
２２３  第１遅延制御信号
２２４  第２遅延制御信号
１０００  受信装置
１０１０  第１クロック生成部
１０２０  第２クロック生成部
１０３０  選択部
１０４０  ＡＤ変換器
１０５０  第１の復調部
１０６０  第２の復調部
１０７０  アクセス制御部
Ｔ１１，Ｔ２１  プリチャージ用トランジスタ
Ｔ１２，Ｔ２２  入力用トランジスタ
Ｎ１１，Ｎ１２，Ｎ２１，Ｎ２２  内部ブロック
【図１】
2014038173.tif 000003
【図２】
2014038173.tif 000004
【図３】
2014038173.tif 000005
【図４】
2014038173.tif 000006
【図５】
2014038173.tif 000007
【図６】
2014038173.tif 000008
【図７】
2014038173.tif 000009
【図８】
2014038173.tif 000010
【図９】
2014038173.tif 000011
【図１０】
2014038173.tif 000012
【図１１】
2014038173.tif 000013
【図１２】
2014038173.tif 000014
【図１３】
2014038173.tif 000015
【国際調査報告】
2014038173.tif 000016
2014038173.tif 000017
2014038173.tif 000018